(57)【特許請求の範囲】
【請求項１】
ドア取付開口に臨むように取付面から突出させた係止金具と、同係止金具に係合してドアの回動を所定角度で規制するように、ドアの先端縁近傍に回動自在に取付けられたＵ字杆とを具備し、同Ｕ字杆の基端には広幅の係止金具挿通部が形成され、さらに、前記係止金具の軸部を案内するスライド路が前記挿通部に連続形成されたドアストッパに、着脱自在に取付可能としたドアの開放維持具であって、
前記係止金具挿通部内に着脱自在に取付け可能な基部と、
同基部に回動自在に連結され、前記スライド路内に収納可能な本体軸部とを具備し、
前記係止金具を前記係止金具挿通部に挿通させた状態で、ドアストッパによって規制される開放位置までドアを開放した後、前記本体軸部を回動させて、同本体軸部の先端部を前記スライド路内に臨ませ、この先端部を前記係止金具と当接させることにより、前記開放位置でドアの開放状態を維持可能としたことを特徴とする回動式ドアの開放維持具。
【請求項２】
前記ドアストッパは、前記Ｕ字杆を取付けるための取付台座を備え、
前記基部は、前記取付台座をドアに固定するためのビスを兼用して前記取付台座に取付け可能に構成したことを特徴とする請求項１に記載の回転式ドアの開放維持具。
【請求項３】
前記本体軸部の先端寄りにつまみを突設したことを特徴とする請求項１又は請求項２に記載の回転式ドアの開放維持具。
【請求項４】
本体軸部をバネ材で形成し、同本体軸部の先端側に、係止金具の軸部に連設した係止部に付勢状態で係合する段付係合部を設けたことを特徴とする請求項１又は請求項２に記載の回動式ドアの開放維持具。
【請求項５】
ドア取付開口に臨むように取付けられる凸状の係止金具と、
ドアの先端部近傍に回動自在に取付けられ、基端に広幅の係止金具挿通部を形成するとともに、前記係止金具の軸部を案内するために、前記係止金具挿通部に連続させてスライド路を形成したＵ字杆と、
同Ｕ字杆の前記係止金具挿通部内に取付けられた基部と、同基部に回動自在に連結され、Ｕ字杆の前記スライド路内に収納可能な本体軸部とからなるドアの開放維持具と、を具備し、
前記係止金具を前記係止金具挿通部に挿通させた状態で、前記係止金具と前記Ｕ字杆とによって規制される開放位置までドアを開放した後、前記本体軸部を回動させて、同本体軸部の先端部を前記スライド路内に臨ませ、この先端部を前記係止金具と当接させることにより、前記開放位置でドアの開放状態を維持可能としたことを特徴とするドアストッパ。
【発明の詳細な説明】
【０００１】
【発明の属する技術分野】
本発明は、回動式ドアを所定開度以上開かないように規制するドアストッパに着脱自在に取付可能としたドアの開放維持具、及び、同開放維持具を具備するドアストッパに関する。
【０００２】
【従来の技術】
近年の住宅においては、防犯のためにドアを所定開度以上には開かないようにするドアストッパを備えているのが一般的となっている。
【０００３】
かかるドアストッパは、ドアを閉じる方向には何ら規制力をもたないので、自然状態ではドアは勝手に閉まってしまうものである。
【０００４】
しかし、室内を換気するために、特に気密性の高いマンション等では窓とドアを開けたりする場合があるが、ドアを適当に開けた状態で維持するためには、ドアと床面との間に楔やその代用品を挟み込むなど、何らかの工夫が個別になされているのが現状である。しかし、わざわざ楔を製作することは少なく、週刊誌などが代用品とされていることが多い。
【０００５】
しかし、週刊誌等を挟んでおくのは見栄えが悪いので、防犯用のドアストッパの機能を維持しつつ、ドアの開度が規制された位置でドアの開放状態を維持する開放維持具が提案された。
【０００６】
例えば、この種のドアの開放維持具として、特開平１−１０７７８８、特開平１−１１２２７６、特開平１−１１２２７７号公報に開示されたものがある。
【０００７】
これらは、いずれも凸状の係止金具と、ドアの先端部近傍に回動自在に取付けられたＵ字杆とを具備するドアストッパに予め取付けられたもので、前記Ｕ字杆に、係止金具のロック部材が設けられている。
【０００８】
すなわち、一般的なＵ字杆は、前記係止金具を挿通する広幅の係止金具挿通部が基端に形成されるとともに、同係止金具挿通部に連続するスライド路が形成されており、同スライド路内を前記係止金具の軸部が案内されてスライド移動する構造となっている。そして、かかるスライド路内で係止金具を保持するように、前記ロック部材をＵ字杆の一部に取付けている。
【０００９】
【発明が解決しようとする課題】
ところが、前述したように、大多数の家屋にはすでに通常のドアストッパが備えられており、一方、上記した従来のドアの開放維持具は、予めドアストッパに取付けられたものであるために、開放維持具を新たに購入しようとすると、すでにドアストッパが設置されていても再度ドアストッパごと購入しなければならなず、これでは不経済なので、結局普及するには至っていない。
【００１０】
また、従来の開放維持具は、ドアストッパを機能させると半ば自動的にドアの開放維持がなされたり、また、ドアストッパを機能させた状態でなければドアの開放状態を維持できない構造となっているなど、使用方法が限られていた。
【００１１】
しかも、上記特開平１−１１２２７６号や特開平１−１１２２７７号に開示されたものは、外部からの風圧や強い力で押された場合にはドアが閉じてしまう場合があり、これでは誤って手や指を挟んだりする事故を生じかねないものであった。
【００１２】
そこで、安全であり、使い勝手が良好で、かつ、既存のドアストッパに後付け可能なドアの開放維持具が望まれている。
【００１３】
本発明は、上記課題を解決することのできるドアの開放維持具、及び、同開放維持具を具備するドアストッパを提供することを目的としている。
【００１４】
【課題を解決するための手段】
上記課題を解決するために、請求項１記載の本発明では、ドア取付開口に臨むように取付面から突出させた係止金具と、同係止金具に係合してドアの回動を所定角度で規制するように、ドアの先端縁近傍に回動自在に取付けられたＵ字杆とを具備し、同Ｕ字杆の基端には広幅の係止金具挿通部が形成され、さらに、前記係止金具の軸部を案内するスライド路が前記挿通部に連続形成されたドアストッパに、着脱自在に取付可能としたドアの開放維持具であって、前記係止金具挿通部内に着脱自在に取付け可能な基部と、同基部に回動自在に連結され、前記スライド路内に収納可能な本体軸部とを具備し、前記係止金具を前記係止金具挿通部に挿通させた状態で、ドアストッパによって規制される開放位置までドアを開放した後、前記本体軸部を回動させて、同本体軸部の先端部を前記スライド路内に臨ませ、この先端部を前記係止金具と当接させることにより、前記開放位置でドアの開放状態を維持可能とした。
【００１５】
また、請求項２記載の本発明では、前記ドアストッパは、前記Ｕ字杆を取付けるための取付台座を備え、前記基部は、前記取付台座をドアに固定するためのビスを兼用して前記取付台座に取付け可能に構成した。
【００１６】
さらに、請求項３記載の本発明では、前記本体軸部の先端寄りにつまみを突設したことを特徴とする。
また、請求項４に記載の発明は、本体軸部をバネ材で形成し、同本体軸部の先端側に、係止金具の軸部に連設した係止部に付勢状態で係合する段付係合部を設けたことを特徴とする。
また、請求項５に記載の発明は、ドア取付開口に臨むように取付けられる凸状の係止金具と、ドアの先端部近傍に回動自在に取付けられ、基端に広幅の係止金具挿通部を形成するとともに、前記係止金具の軸部を案内するために、前記係止金具挿通部に連続させてスライド路を形成したＵ字杆と、同Ｕ字杆の前記係止金具挿通部内に取付けられた基部と、同基部に回動自在に連結され、Ｕ字杆の前記スライド路内に収納可能な本体軸部とからなるドアの開放維持具と、を具備し、前記係止金具を前記係止金具挿通部に挿通させた状態で、前記係止金具と前記Ｕ字杆とによって規制される開放位置までドアを開放した後、前記本体軸部を回動させて、同本体軸部の先端部を前記スライド路内に臨ませ、この先端部を前記係止金具と当接させることにより、前記開放位置でドアの開放状態を維持可能としたことを特徴とするドアストッパとした。
【００１７】
【発明の実施の形態】
以下、本発明の実施の形態を図面を参照しながら具体的に説明する。
【００１８】
（第１の実施形態）
図１は本発明に係るドアの開放維持具の一形態を示す斜視図、図２は同ドアの開放維持具を取付けるドアストッパの正面図、図３はドアストッパにドアの開放維持具を取付けた状態を示す正面図、図４は図３のａ−ａ線における矢視一部断面図、図５はドアの開放維持具の使用状態を示す説明図である。
【００１９】
図２〜図５においてＤは家屋玄関等に取付けられる回動式ドア（以下、単に「ドア」とする）であり、本実施の形態に係るドアの開放維持具（以下、単に「開放維持具」とする）Ａは、ドアＤに取付けられたドアストッパＢに後付け可能に構成されている。
【００２０】
先ず、開放維持具Ａを取付けるドアストッパＢの構成について説明する。
【００２１】
ドアストッパＢは、図５に示すように、ドア取付開口Ｃに臨むように、取付面から突出させた係止金具１と、同係止金具１に係合してドアＤの回動を所定角度で規制するＵ字杆２とを具備している。
【００２２】
係止金具１は、ドア取付開口Ｃを構成する枠組における、ドアＤを閉じた状態でその先端部D1が収まる側面３に段差を設けて形成したドア受部４に突設されている。11は取付座、12は軸部、13は同軸部12の先端に連設され、軸部12よりも大径としたボタン状の係止部である。
【００２３】
Ｕ字杆２は、図２〜図５に示すように、その基端に係止金具挿通部21が前記係止金具１の係止部13を挿通できる大きさで広幅に形成されており、さらに、前記係止金具１の軸部12を案内するスライド路22が、係止部13よりも狭幅の大きさで前記挿通部21に連続形成され、その終端に係止端部23が形成されて前記係止金具１に係合する構成としている。図中、５はＵ字杆２の取付台座であり、複数のビス50により固定されている。かかる取付台座５には、一定間隔をあけて対向する一対の立ち上がり部51,51 が形成されており、同立ち上がり部51,51 の各内側面に、Ｕ字杆２の自由端側がそれぞれ回動自在に取付けられている。52は取付ピンである。
【００２４】
かかる構成により、ドアストッパＢを使用する場合、ドアＤを閉めた状態でＵ字杆２を回動させ、係止金具挿通部21に係止部13を挿通する。そして、この状態でドアＤを開けると、図５に示すように、係止金具１の軸部12がＵ字杆２のスライド路22をスライドし、Ｕ字杆２の係止端部23と係合してこれ以上ドアＤは開かなくなる。
【００２５】
本実施形態に係る開放維持具Ａは、上記のドアストッパＢに後付け可能としたことに特徴があり、以下にその構成について説明する。
【００２６】
図１に示すように、開放維持具Ａは、前記取付台座５に着脱自在に取付け可能な基部６と、同基部６に回動自在に連結され、前記スライド路22内に収納可能な本体軸部７とを具備する構成としている。
【００２７】
本実施形態では、本体軸部７を基部６同様に角棒状に形成し、先端部70のエッジ部を面取りして怪我することのないように安全性を高めているが、形状的には何ら限定するものではなく、例えば円柱状にしても構わない。
【００２８】
また、図１中、８は本体軸部７を基部６に枢支連結した枢支ピン、71は本体軸部７の先端寄りに突設したつまみであり、図４に示すように、開放維持具Ａを使用する前の初期位置においてはドアＤとの間に指先等を挿入して本体軸部７を引き出し回動しやすくする指挿入空間Ｑを形成するスペーサとして機能するようにしている。なお、同つまみ71の太さや長さは使いやすいように適宜決定することができる。
【００２９】
また、50a は取付ビスであるが、長さが足りるのであれば、前記取付台座５を固定するビス50で兼用することもできる。
【００３０】
かかる構成の開放維持具ＡをドアストッパＢに取付ける場合は、取付台座５の中央のビス50を外し、取付台座５と開放維持具Ａの基部６のビス孔同士を合わせて取付ビス50a で連結するだけでよく、図３に示すように、開放維持具ＡはＵ字杆２の係止金具挿通部21とスライド路22によって形成される空間内に正面視で収まるように取付けられる。
【００３１】
このように、本開放維持具Ａは、構成が簡単で安価に製造することができ、かつ、殆ど手間をかけることなく既存のドアストッパＢに後付けすることができるので、新たにドアストッパＢを付け替えたりする必要はなく、購入に際し、費用はさほどかからない。
【００３２】
開放維持具Ａを取付けた後、ドアストッパＢを機能させながらドアＤの開放状態を維持させるようにする場合は、図４で示した初期状態から、先ず、Ｕ字杆２を手前に回動させて係止金具１の係止部13を挿通し、その状態でドアＤを開くと前述したように、係止金具１の軸部12がＵ字杆２のスライド路22をスライドし、Ｕ字杆２の係止端部23と係合してこれ以上ドアＤは開かなくなる。
【００３３】
そこで、開放維持具Ａの本体軸部７を手前に回動させ、同本体軸部７の先端部70をＵ字杆２のスライド路22内に臨ませ、この先端部70を係止金具１と当接させるものである。
【００３４】
この状態で本体軸部７が突つ支い棒として機能し、ドアＤは閉方向に回動することがなく、開状態を維持することができる。
【００３５】
このように開状態を維持しておけば、例えば室内の換気を行う場合や、玄関の掃き掃除を行う場合に便利であり、しかも、ドアストッパＢは機能しているので防犯上も何ら問題がない。また、Ｕ字杆２と本体軸部７を長くすれば、同じく防犯しながら小荷物の受け渡しを行え、さらに、猫等のペットの出入り口等にも利用することができる。
【００３６】
また、ドアＤを閉める場合は、ドアＤをわずかに開方向に動かして、つまみ71を持ってドアＤ側に回動させるだけでよい。
【００３７】
このように、本実施の形態では、ドアストッパＢによって規制された開放位置でドアＤの開放状態を維持することができる開放維持具Ａを、既存のドアストッパＢに後付けが容易であり、しかも、使い勝手がきわめて良好となっている。
【００３８】
また、ドアＤの開放を維持している状態で風圧がかかったり、外部から強い力が加わっても開放維持具Ａが破損したり、ドアＤが閉じてしまったりすることがないので、手を挟んだりする事故等のおそれもない。
【００３９】
ところで、開放維持具Ａの本体軸部７は、基部６に単に枢支されているだけであるが、不使用時の位置と使用時の位置とに本体軸部７を保持する付勢手段10を設けることもできる。
【００４０】
かかる付勢手段10は、例えば、図６に示すように、取付台座５と開放維持具Ａの基部６との間にバネ板９等を介設し、さらに、同バネ板９と取付台座５との間にスペーサＳを介設してバネ板撓み空間Ｕを確保しておくとともに、本体軸部７の基端部72を、曲率の小さな円弧部分72a と大きな円弧部分72b とから形成し、それぞれを回動中心となる枢支ピン８からの距離を異ならせてカム状に成形することができる。
【００４１】
かかる付勢手段10により、初期状態から本体軸部７を回動させると、初期にはバネ板９に抗する力が必要であるが、回動中心からの距離が長い円弧部分72b が通過すると、バネ板９の復帰する力によって略90度回動した位置まで付勢回動する。
【００４２】
本体軸部７を初期状態に戻す場合も同様に、中途からはバネ板９により付勢されて初期位置に復帰する。
【００４３】
かかる構成とすれば、不使用時などに開放維持具Ａが勝手に回動したりすることがなく、使い勝手がさらに良好となる。
【００４４】
（第２の実施形態）
次に、他の実施形態に係る開放維持具Ａについて、図７〜図８を参照しながら説明する。
【００４５】
これは、本体軸部７をバネ鋼材等のように弾性を有する板材で構成したことに特長がある。
【００４６】
本実施形態では、本体軸部７を薄板状のバネ鋼材から形成し、その基端をカム構造となるようにロール状に形成し、このロール状基端75をカム形状とする。
【００４７】
そして、かかるロール状基端75を、ドアストッパＢの取付台座５に設けた取付基部60に回動自在に連結している。
【００４８】
取付基部60は、取付ビス50a により固定される底面の先端を伸延し、段付に折曲形成してバネ板部61を形成するとともに、左右側から支持壁62,62 を立ち上げており、同支持壁62,62 間に前記ロール状基端75を枢着している。
【００４９】
したがって、本体軸部７を回動させると、先の実施形態でも説明したように、初期にはバネ板部61に抗する力が必要であるが、カム機構が作用して中途からはバネ板部61の復帰する力によって付勢回動する。
【００５０】
また、本体軸部７は、係止金具１の係止部13に対応する部分を緩やかに折曲してラウンド部76を形成し、係止部13を案内可能とするとともに、同ラウンド部76に連続形成された湾曲状の係合凹部77を形成し、図７に示すように、開放維持具Ａが作用した状態では、本体軸部７は前記係合凹部77により係止金具１の係止部13をしっかりとグリップして、風などが吹いてもドアＤがガタつかないようにしている。78は係合凹部77を伸延させた舌部であり、つまみ部分として機能する。なお、他の構成については先の実施形態と同様であるので説明は省略する。
【００５１】
このように、本実施形態においても、既存のドアストッパＢに後付けが可能であり、また、その構成や取付けは簡単である。
【００５２】
そして、先の実施形態と同様な効果を奏するのみならず、この場合は、ドアＤの開放状態においてそのガタつきを防止することができる。
【００５３】
上気してきた実施形態では、開放維持具Ａを後付け可能なものとして説明したが、ドアストッパＢに予め設けた形態としてもよい。
【００５４】
その場合は、前記した基部６（第１の実施の形態）や取付基部60（第２の実施の形態）に相当する部分をドアストッパＢの取付台座５に一体成形したりするなどデザインの自由度が高まり、外観上の意匠性をより高めた製品製造が可能となる。
【００５５】
なお、ドアストッパＢと本開放維持具Ａとを一体としたものについて、いかなる形状を採用しようとも、ドア取付開口Ｃに臨むように取付けられる凸状の係止金具１と、ドアＤの先端部D1近傍に回動自在に取付けられ、基端に広幅の係止金具挿通部21が形成され、前記係止金具１の軸部12を案内するために、前記係止金具挿通部12に連続形成されたスライド路22を有するＵ字杆２と、正面視でＵ字杆２の前記係止金具挿通部21内に取付けられた基部と、同基部6,60に回動自在に連結され、Ｕ字杆２の前記スライド路22内に収納可能な本体軸部７とからなる構成であれば、本発明に含まれるものである。
【００５６】
【発明の効果】
以上説明してきたように、本発明は上記した形態で実施されるものであり、以下の効果を奏する。
【００５７】
（１）ドア取付開口に臨むように取付面から突出させた係止金具と、同係止金具に係合してドアの回動を所定角度で規制するように、ドアの先端縁近傍に回動自在に取付けられたＵ字杆とを具備し、同Ｕ字杆の基端には広幅の係止金具挿通部が形成され、さらに、前記係止金具の軸部を案内するスライド路が前記挿通部に連続形成されたドアストッパに、着脱自在に取付可能としたドアの開放維持具であって、前記係止金具挿通部内に着脱自在に取付け可能な基部と、同基部に回動自在に連結され、前記スライド路内に収納可能な本体軸部とを具備し、前記係止金具を前記係止金具挿通部に挿通させた状態で、ドアストッパによって規制される開放位置までドアを開放した後、前記本体軸部を回動させて、同本体軸部の先端部を前記スライド路内に臨ませ、この先端部を前記係止金具と当接させることにより、前記開放位置でドアの開放状態を維持可能としたので、例えば室内の換気を行う場合や、玄関の掃き掃除を行う場合にきわめて便利であり、しかも、ドアストッパが機能しているので、防犯上も何ら問題がない。
【００５８】
また、ドアストッパのＵ字杆と本体軸部を長くすれば、同様に防犯しながらの小荷物の受け渡しが可能であり、さらには、猫等のペットの出入り口等にも利用することができる。
【００５９】
また、構成が簡単で安価に製造することができ、かつ、誰でも手間をかけることなく既存のドアストッパに簡単に後付けすることができるので、新たにドアストッパを付け替えたりする必要はなく、購入に際して負担が少ない。
【００６０】
さらに、ドアの開放を維持している状態で風圧がかかったり、外部から強い力が加わっても開放維持具が破損したり、ドアが閉じてしまったりすることがないので、手を挟んだりする事故等のおそれもない。
【００６１】
（２）ドアストッパは、Ｕ字杆を取付けるための取付台座を備え、基部は、取付台座をドアに固定するためのビスを兼用して前記取付台座に取付け可能に構成したため、殆ど手間をかけることなく既存のドアストッパに後付することができる。
【００６２】
（３）本体軸部の先端寄りにつまみを突設したことにより、開放維持具を使用する前の初期位置においてドアとの間に指先等を挿入して本体軸部を引き出し回動しやすくする指挿入空間を形成することができる。
（４）本体軸部をバネ材で形成し、同本体軸部の先端側に、係止金具の軸部に連設した係止部に付勢状態で係合する段付係合部を設けたことにより、上記（１）の効果に加え、ドアの開放状態においてそのガタつきを防止することができる。
（５）ドア取付開口に臨むように取付けられる凸状の係止金具と、ドアの先端部近傍に回動自在に取付けられ、基端に広幅の係止金具挿通部を形成するとともに、前記係止金具の軸部を案内するために、前記係止金具挿通部に連続させてスライド路を形成したＵ字杆と、同Ｕ字杆の前記係止金具挿通部内に取付けられた基部と、同基部に回動自在に連結され、Ｕ字杆の前記スライド路内に収納可能な本体軸部とからなるドアの開放維持具と、を具備し、前記係止金具を前記係止金具挿通部に挿通させた状態で、前記係止金具と前記Ｕ字杆とによって規制される開放位置までドアを開放した後、前記本体軸部を回動させて、同本体軸部の先端部を前記スライド路内に臨ませ、この先端部を前記係止金具と当接させることにより、前記開放位置でドアの開放状態を維持可能としたので、上記（１）と同様の効果を奏する。また、デザイン的な自由度が向上し、多様な製品化が可能となる。
【図面の簡単な説明】
【図１】第１の実施形態に係るドアの開放維持具の斜視図である。
【図２】同開放維持具を取り付けるドアストッパの正面図である。
【図３】同ドアストッパに取付けた開放維持具の正面図である。
【図４】図３のａ−ａ線における矢視一部断面図である。
【図５】開放維持具の使用状態を示す説明図である。
【図６】付勢手段の説明図である。
【図７】第２の実施形態に係るドアの開放維持具の使用状態を示す説明図である。
【図８】同開放維持具の正面視による説明図である。
【符号の説明】
Ａ  ドアの開放維持具
Ｂ  ドアストッパ
Ｃ  ドア取付開口
Ｄ  ドア
１  係止金具
２  Ｕ字杆
６  基部
７  本体軸部
21  係止金具挿通部
22  スライド路
【図１】
0004194163.tif 000002
【図２】
0004194163.tif 000003
【図３】
0004194163.tif 000004
【図４】
0004194163.tif 000005
【図５】
0004194163.tif 000006
【図６】
0004194163.tif 000007
【図７】
0004194163.tif 000008
【図８】
0004194163.tif 000009